(57)【要約】【課題】本発明は、簡便且つ冷温又は常温で高濃度の水素分子を発生させることができる粉末状水素生成剤を提供することを目的とする。【解決手段】本発明は、簡便且つ冷温又は常温で高濃度の水素分子を発生することができる、金属マグネシウム粉末、有機酸の粉末、及びバインダーを含む粉末状水素生成剤を提供する。【選択図】なし【特許請求の範囲】
【請求項１】
金属マグネシウム粉末、有機酸の粉末、及びバインダーを含む粉末状水素生成剤。
【請求項２】
前記粉末状水素生成剤の平均粒子径は５００μｍ以下である、請求項１に記載の粉末状水素生成剤。
【請求項３】
前記金属マグネシウム粉末と、前記有機酸の粉末との重量比は、１：５〜１：１０の範囲にある、請求項１又は２に記載の粉末状水素生成剤。
【請求項４】
前記金属マグネシウム粉末と前記有機酸の粉末の重量の合計と、前記バインダーの重量との比は、１００：０．１〜１００：５の範囲にある、請求項１〜３のいずれか１項に記載の粉末状水素生成剤。
【請求項５】
前記有機酸は、クエン酸、酢酸、酒石酸、リンゴ酸、コハク酸、乳酸、ピルビン酸、アコニット酸、ヒドロキシコハク酸、又はα-ヒドロキシプロパン酸からなる群より選択される１種又は２種類以上の有機酸である、請求項１〜４のいずれか１項に記載の粉末状水素生成剤。
【請求項６】
前記有機酸の０．１ｍｏｌ／Ｌ水溶液は、比較電極としてＡｇ／ＡｇＣｌを用いた場合に＋１０〜＋１４０ｍＶの平衡電位を持つ、請求項５に記載の粉末状水素生成剤。
【請求項７】
請求項１〜６のいずれか１項に記載の粉末状水素生成剤が、不織布からなる袋体に収納された水素生成器。
【請求項８】
前記袋体に、さらに錘を備えた、請求項７に記載の水素生成器。
【請求項９】
金属マグネシウム粉末、有機酸の粉末、及びバインダーを混合する工程と、
前記混合物を粉末にする工程と、を含む粉末状水素生成剤の製造方法。
【請求項１０】
前記混合物を粉末にする工程を２回以上行う、請求項９に記載の粉末状水素生成剤の製造方法。
【請求項１１】
前記粉末状水素生成剤の平均粒子径は５００μｍ以下である、請求項９又は１０に記載の粉末状水素生成剤の製造方法。
【請求項１２】
前記金属マグネシウム粉末と、前記有機酸の粉末との重量比は、１：５〜１：１０の範囲にある、請求項９〜１１のいずれか１項に記載の粉末状水素生成剤の製造方法。
【請求項１３】
前記金属マグネシウム粉末と前記有機酸の粉末の重量の合計と、前記バインダーの重量との比は、１００：０．１〜１００：５の範囲にある、請求項９〜１２のいずれか１項
に記載の粉末状水素生成剤の製造方法。
【請求項１４】
請求項１〜６のいずれか１項に記載の粉末状水素生成剤、又は請求項７又は８に記載の水素生成器を、液体と接触させて液体中に水素を溶解させる水素含有液の製造方法。
【請求項１５】
前記水素含有液が飲料、化粧品、医薬、又は洗浄剤である、請求項１４に記載の水素含有液の製造方法。
【発明の詳細な説明】
【技術分野】
【０００１】
本発明は、水素生成剤、水素生成剤を収納した水素生成器、及び水素含有液の製造方法に関する。
【背景技術】
【０００２】
近年、活性酸素分子種を消去する水素分子の抗酸化作用に注目が集まっている。現代日本人の欧米化による食生活習慣の変化や社会的生活におけるストレスなどにより、人は活性酸素分子種を高濃度に体に蓄積している。特に脳においては酸素が高度に消費されるため活性酸素が過剰に産生される可能性がある。水素分子は過剰な活性酸素分子種を消去し、活性酸素による酸化ストレスから人々を解放することが期待されている。
特に、水素分子は小さいために体内に吸収されると組織に広く深く拡散し、能動的に体の細胞や組織に吸収される。脳の血液脳関門は低分子しか通過することができないため、脳内における活性酸素分子種の消去にも水素分子が効果を発揮することが考えられる。
【０００３】
水素分子への期待は老化や癌、さらには成人病の予防にまで広まっている。そのほか、アルツハイマー病などの認知症の予防にもつながると考えられている。そのため水素分子を含む水素水飲料や水素生成器など数多くの商品が市販され、開発され、予防医学や予防薬学への簡便で安価な応用が検討されている。
水素分子の摂取はジョギングやエアロビクスなどスポーツをする者への利用も勧められている。スポーツは酸素を必要以上に体に取り込むことになり、活性酸素の生成が非常に多くなるからである。
【０００４】
水素分子を得る方法として、水の電気分解による方法が知られている（特許文献１）。しかし、設備が大きくなり電気を必要とするため、設置場所や利便性に欠ける難点があった。
【０００５】
また、水素分子を得る方法として、金属マグネシウムと水とを接触させる方法が複数知られている。これらの方法は高価な設備を必要とせず、利便性がよい。
例として、内部に液体が滲入可能なセラミックスを構成物質とするケースに収納した金属マグネシウムと飲料水とを容器内で反応させる方法が知られている（特許文献２）。この方法では、生成する水素分子濃度が低い。またセラミックスを用いるので、生成する過酸化水素水が体内での還元によって毒性の強いヒドロキシラジカルを作り、安全性に不安を残す。
さらに、金属マグネシウムとトルマリン鉱石が入っている、内部に水が滲入可能な容器を水中に入れることにより反応させる方法が知られているが、この方法は水素発生効率が良くない（特許文献３）。
【０００６】
この他に水素水飲料を得る方法として、高圧で水素分子ガスを飲料に溶解させ容器に封入する方法が知られているが、分子量が小さいために水素分子が容器から揮散してしまうこと、また飲料自体が比較的高価であることなどの問題点があった。
【先行技術文献】
【特許文献】
【０００７】
【特許文献１】特許第４０６９４７０号公報
【特許文献２】特許第４２５２４３４号公報
【特許文献３】特許第４１６５６３４号公報
【発明の概要】
【発明が解決しようとする課題】
【０００８】
そこで本発明は、簡便に且つ低温で高濃度の水素分子を効率よく発生させることができる粉末状水素生成剤を提供することを目的とする。
【課題を解決するための手段】
【０００９】
上記の課題を解決すべく検討を重ねた結果、本発明者らは、金属マグネシウム粉末、有機酸の粉末、及びバインダーを含む粉末状の水素生成剤により、簡便に且つ冷温又は常温で高濃度の水素分子が得られることを見出し、本発明を完成するに至った。
【００１０】
すなわち、本発明は、
〔１〕金属マグネシウム粉末、有機酸の粉末、及びバインダーを含む粉末状水素生成剤；
〔２〕前記粉末状水素生成剤の平均粒子径は５００μｍ以下である、上記〔１〕に記載の粉末状水素生成剤；
〔３〕前記金属マグネシウム粉末と、前記有機酸の粉末との重量比は、１：５〜１：１０の範囲にある、上記〔１〕又は〔２〕に記載の粉末状水素生成剤；
〔４〕前記金属マグネシウム粉末と前記有機酸の粉末の重量の合計と、前記バインダーの重量との比は、１００：０．１〜１００：５の範囲にある、上記〔１〕〜〔３〕のいずれか１項に記載の粉末状水素生成剤；
〔５〕前記有機酸は、クエン酸、酢酸、酒石酸、リンゴ酸、コハク酸、乳酸、ピルビン酸、アコニット酸、ヒドロキシコハク酸、又はα-ヒドロキシプロパン酸からなる群より選択される１種又は２種類以上の有機酸である、上記〔１〕〜〔４〕のいずれか１項に記載の粉末状水素生成剤；
〔６〕前記有機酸の０．１ｍｏｌ／Ｌ水溶液は、比較電極としてＡｇ／ＡｇＣｌを用いた場合に＋１０〜＋１４０ｍＶの平衡電位を持つ、上記〔５〕に記載の粉末状水素生成剤；
〔７〕上記〔１〕〜〔６〕のいずれか１項に記載の粉末状水素生成剤が、不織布からなる袋体に収納された水素生成器；
〔８〕前記袋体に、さらに錘を備えた、上記〔７〕に記載の水素生成器；
〔９〕金属マグネシウム粉末、有機酸の粉末、及びバインダーを混合する工程と、
前記工程で得られた混合物を粉末にする工程と、を含む粉末状水素生成剤の製造方法；
〔１０〕前記混合物を粉末にする工程を２回以上行う、上記〔９〕に記載の粉末状水素生成剤の製造方法；
〔１１〕前記粉末状水素生成剤の平均粒子径は５００μｍ以下である、上記〔９〕又は〔１０〕に記載の粉末状水素生成剤の製造方法；
〔１２〕前記金属マグネシウム粉末と、前記有機酸の粉末との重量比は、１：５〜１：１０の範囲にある、上記〔９〕〜〔１１〕のいずれか１項に記載の粉末状水素生成剤の製造方法；
〔１３〕前記金属マグネシウム粉末と前記有機酸の粉末の重量の合計と、前記バインダーの重量との比は、１００：０．１〜１００：５の範囲にある、上記〔９〕〜〔１２〕のいずれか１項に記載の粉末状水素生成剤の製造方法；
〔１４〕上記〔１〕〜〔６〕のいずれか１項に記載の粉末状水素生成剤、又は上記〔７〕又は〔８〕に記載の水素生成器を、液体と接触させて液体中に水素を溶解させる水素含有液の製造方法；及び
〔１５〕前記水素含有液が飲料、化粧品、医薬、又は洗浄剤である、上記〔１４〕に記載の水素含有液の製造方法
に、関する。
【発明の効果】
【００１１】
本発明の粉末状水素生成剤は、液体と接触する表面積が大きいために水素分子発生反応が極めて速く進む。短時間で水素分子発生反応が終わるために、液体中の水素分子が高濃度であるうちに水素含有液を利用することができ、経時的に水素分子が容器から揮散してしまう心配がない。
本発明の水素含有液の製造方法は、大きな設備は必要とせず、設置場所を問わないため、必要なときにその場で簡便に高濃度の水素含有液を製造することができる。常温以下で水素分子を発生させることができるため、安全性にも優れている。
本発明の粉末状水素生成剤は、金属マグネシウム粉末と有機酸の粉末を材料とする粉末であるため、反応がよく進み、未反応の金属マグネシウムと有機酸は残りにくい。
本発明の水素生成器によれば、生成するクエン酸マグネシウムや未反応のマグネシウムを水素含有液から隔絶することができる。
【図面の簡単な説明】
【００１２】
【図１】図１は、本発明の粉末状水素生成剤が収納された水素生成器を示す。
【図２】図２は、本発明の粉末状水素生成剤を水に加え、水素を生成させた後に残る固形物をＥＩ+−質量スペクトル（ＥＩ+−ＭＳ）で分析した結果を示す。
【図３】図３は、金属マグネシウム粉末８ｍｇと、０．１Ｍの酸、塩基、又は緩衝液等を混合して発生した水素分子の生成量のグラフを示す。
【発明を実施するための形態】
【００１３】
本発明に係る粉末状水素生成剤は、金属マグネシウム粉末、有機酸の粉末、及びバインダーを含む。
【００１４】
本明細書において金属マグネシウム粉末は、金属マグネシウムからなる粉末を意味し、その粒子径は特に問わない。金属マグネシウム粉末は、市販のものを用いることができる。
【００１５】
本明細書において有機酸の粉末は、有機酸からなる粉末を意味し、その粒子径は特に問わない。有機酸の粉末は、市販のものを用いることができる。
【００１６】
本明細書においてバインダーは、金属マグネシウム粉末と、有機酸の粉末とを結合して粉末を形成することができ、水に溶けやすい性質を持つ限り特に限定されるものではなく、ポリビニルピロリドン、ヒドロキシプロピルセルロース、ヒドロキシエチルセルロース、ヒドロキシプロピルメチルセルロース、エチルセルロース、ポリメタクリレート、ポリビニルアルコール、ワックス、ショ糖、乳糖、ブドウ糖、ソルビトール、マルチトール、デキストリン、又はこれらの組み合わせ等を選択することができる。
【００１７】
本発明に係る粉末状水素生成剤の平均粒子径も特に限定されないが、例えば、１００μｍ以下、１５０μｍ以下、２００μｍ以下、２５０μｍ以下、３００μｍ以下、３５０μｍ以下、４００μｍ以下、４５０μｍ以下、又は５００μｍ以下であってもよい。
本発明に係る粉末状水素生成剤の形状は、顆粒状であってもよい。
【００１８】
従来の方法では、マグネシウムと水を反応させて水素分子を生成させる場合、高温にする必要があった。しかし、本発明に係る粉末状水素生成剤は、水と接触する表面積が大きく水素発生反応が促進されるため、常温以下の液体との反応でも高濃度水素分子を発生させることができる。
【００１９】
より具体的には、本発明はマグネシウムと水との水素分子生成反応において、遷移状態を経る反応速度論に基づく新規な粉末状水素生成剤である。本発明の粉末状水素生成剤は、有機酸の作用により活性化エネルギーを下げることで水素分子生成速度を大きくし、水素分子生成量を格段に増加させる。
従来知られている
Ｍｇ＋Ｈ2Ｏ→Ｍｇ（ＯＨ）2＋Ｈ2
の反応式は、マグネシウムを冷水に加えてもほとんど水素分子が生成しないことを説明していない。マグネシウムと水との反応による水素分子生成機構は、遷移状態により解析した結果、
Ｍｇ＋２Ｈ2Ｏ→[Ｍｇ（ＯＨ）2]＋Ｈ2*→Ｍｇ（ＯＨ）2＋Ｈ2
のような、これまでに知られていない反応機構によるものだと考えられる。
そして、酸触媒による水素分子の迅速な生成速度の増加は活性化エネルギーの低下によるものであると予測され、
Ｍｇ＋２Ｈ2Ｏ・・・Ｈ−ＯＨ→  [Ｍｇ（Ｈ2Ｏ）2(Ｈ2Ｏ)]*→Ｍｇ（ＯＨ）2＋Ｈ2Ｏ＋Ｈ2
の式により、本発明に係る粉末状水素生成剤の反応を説明することができる。ここで、「＊」はその分子が遷移状態にあること、「・・・」はＭｇ＋２Ｈ2Ｏ系とＨ−ＯＨ系が相互作用をしていることを示している。
このことは、水中でマグネシウムと酸を極めて近く共存させることが可能な本発明の粉末状水素生成剤が、効率よく高濃度の水素を発生させられることを説明する。
【００２０】
本発明に係る粉末状水素生成剤においては、金属マグネシウム粉末と、有機酸の粉末との重量比は特に限定されないが、例えば約１：５〜１：１０の範囲とすることができる。約１：５以上、約１：６以上、又は約１：７以上であってもよく、約１：８以下、約１：９以下、又は約１：１０以下であってもよい。
【００２１】
本発明に係る粉末状水素生成剤においては、金属マグネシウム粉末と有機酸の粉末の重量の合計と、バインダーの重量との比も特に限定されないが、例えば、約１００：０．１〜約１００：５の範囲とすることができる。約１００：０．５、約１００：１、約１００：２、約１００：３、約１００：４、又は約１００：５であってもよい。
【００２２】
本明細書において有機酸とは、クエン酸、酢酸、酒石酸、リンゴ酸（ヒドロキシコハク酸）、コハク酸、イソクエン酸、ピルビン酸、又はアコニット酸等の有機酸を１種類又は２種類以上を選択することができる。発生する水素分子を飲料として使用する場合は、飲用可能である有機酸を用いてもよい。
ＡＴＰ生成におけるクエン酸回路では、ピルビン酸を経てクエン酸からリンゴ酸、及びコハク酸などの中間体が生成する。このため水素生成剤に上述のような有機酸を用いることで、クエン酸同様に、水素分子を高濃度に生成することに加え、エネルギー代謝を促進することも期待される。なお、クエン酸回路では酸素を過剰に使い活性酸素種であるスーパーオキシドやヒドロキシラジカルが過剰に生成するが、本発明に係る水素生成剤によれば、生成した水素分子がそれを除去することも期待される。
【００２３】
本発明に係る粉末状水素生成剤に用いる有機酸は、０．１ｍｏｌ／Ｌ水溶液にしたときに、脱気蒸留水の平衡電位を０ｍＶとし、比較電極としてＡｇ／ＡｇＣｌを用いた場合に、平衡電位＋１０ｍＶ以上、＋２０ｍＶ以上、＋３０ｍＶ以上、＋４０ｍＶ以上、＋５０ｍＶ以上、＋６０ｍＶ以上、＋７０ｍＶであり、＋８０ｍＶ以下、＋９０ｍＶ以下、＋１００ｍＶ以下、＋１１０ｍＶ以下、＋１２０ｍＶ以下、＋１３０ｍＶ以下、＋１４０ｍＶ以下となるものを用いてもよい（ただし、脱気精製水の平衡電位を０ｍＶとする）。このような有機酸は効率よく水素分子を生成する。
【００２４】
本発明に係る粉末状水素生成剤は、一種以上の賦形剤、充填剤、希釈剤、崩壊剤、着色剤、緩衝剤、コーティング、界面活性剤、湿潤剤、滑剤、流動促進剤をさらに含んでもよい。
【００２５】
本明細書において水素生成器とは、本発明に係る粉末状水素生成剤を不織布等からなる袋体に収納したものをいう。
【００２６】
本明細書における不織布はどのようなものであってもよいが、人体に影響を及ぼすものでないこと、発生した水素分子を袋体の外に放出することができること、袋体の外に漏出することが望ましくない物質、例えば粉末状水素生成剤や水素分子発生反応により生成する難溶性の水酸化マグネシウム（Ｍｇ（ＯＨ）2）や主成分のクエン酸マグネシウム（(Ｃ6Ｈ5Ｏ7)2・Ｍｇ3）を袋体の中に留めておくことができること、粉末状水素生成剤による摩擦等に耐えられること、などの条件を満たすものを選択することができる。
【００２７】
本明細書における不織布は、その原料繊維が何であるかは特に限定されない。例えば、ポリエチレンやポリプロピレン等のオレフィン系、ポリエステル系、ポリアミド系等の合成繊維、レーヨンやキュプラ等の再生繊維、又は綿等の天然繊維などや、これらから二種以上が使用された混合繊維、複合繊維などを例示することができる。セルロースを８０％以上、８５％以上、９０％以上、９５％以上、又は１００％含むキュプラ繊維からなる不織布を用いてもよい。
【００２８】
本明細書における不織布の空孔径は、水素生成器を液体に入れたときに、水素分子を袋体の外に放出することができ、且つ、袋体の外に漏出することが望ましくない水酸化マグネシウム（Ｍｇ（ＯＨ）2）やクエン酸マグネシウム（(Ｃ6Ｈ5Ｏ7)2・Ｍｇ3）を袋体の中に留めておくことができるメッシュサイズを選択することができる。例えば袋体の空孔径は、６０以上、６５以上、８０以上、１００以上、１１５以上、１５０以上、１７０以上、２００以上、２５０以上、２７０以上、３２５以上、４００以上、５００以上、又は６３５以上のメッシュサイズであってもよい。
【００２９】
本明細書における袋体は、水素含有飲料として用いる場合には、例えば飲料の風味等を損なうことがない不織布が望ましい。例えば香料が含まれた水素含有液を生成する場合には、香気等を損なうことがない不織布が望ましい。
【００３０】
本明細書における袋体のサイズ、形状は適宜選択することができる。ティーバッグ状にタグをつけてもよい。市販のティーバッグ等を適宜利用してもよい。
【００３１】
本明細書の水素生成器は、水素分子生成による浮き上がりを防止するために袋体に錘を備えていてもよい。錘は袋体の外側又は内側に配置することができ、袋体の外側に錘をつけてもよく、袋体の中に錘入れてもよい。錘の素材は人体に影響を及ぼさない限り特に限定されず、例えばプラスチックとすることができる。例えば、袋体の底に円筒形のプラスチックの錘を付随していてもよい。
【００３２】
本発明に係る粉末状水素生成剤の製造方法は、金属マグネシウム粉末、有機酸の粉末、及びバインダーを混合する工程と、前記工程で得られた混合物を粉末にする工程と、を含む。
金属マグネシウム粉末、有機酸の粉末、及びバインダーを混合する工程と、混合物を粉末にする工程は、順次行ってもよいし、同時に行ってもよい。
【００３３】
本発明に係る粉末状水素生成剤の製造方法は、混合物を粉末にする工程を２回以上行ってもよい。
この場合、金属マグネシウム粉末、有機酸の粉末、及びバインダーを混合した後、混合物を粉末にする工程を２回以上行ってもよく、金属マグネシウム粉末、有機酸の粉末、及びバインダーを混合しながら同時に粉末にする工程を２回以上行ってもよい。
金属マグネシウム粉末、有機酸の粉末、及びバインダーを混合する工程は、均一に混合することができるミキサーを用いることができるが、均一に混合される限りどのような方法であってもよい。例えば工業用ミキサーや家庭用ミキサーなどを使って混合する等の、当業者に公知の方法で行うことができる。
混合物を粉末にする工程は、混合物を粉末状に粉砕することができる粉砕機及び微粉砕機（例えばミル、ビーズミル、及びボールミル）を用いることができるが、混合物が粉末状に粉砕される限りどのような方法で行ってもよい。
ミキサーやミルを使い、金属マグネシウム粉末、有機酸の粉末、及びバインダーを混合する工程と混合物を粉末にする工程を同時に行うこともできる。
混合物を粉末にする工程を２回行う場合、１回目の工程である程度の粒子径になるように混合物を粉末にし、その粉末を２回目の工程で所望の粒子径になるように粉末状に粉砕することができる。この工程において、１回目の工程と２回目の工程は、同一の装置を用いて行ってもよいし、異なる装置を用いて行ってもよい。
【００３４】
粉末状水素生成剤の平均粒子径、金属マグネシウム粉末と有機酸の粉末との重量比、及び、金属マグネシウム粉末と有機酸の粉末の重量の合計と、バインダーとの重量比は、上述のとおりである。
【００３５】
本明細書における水素含有液の製造方法は、本発明に係る粉末状水素生成剤又は水素生成器と液体とを接触させることによって液体中に水素分子を溶解させる工程を含む。液体は、飲料用途、化粧用途、医薬用途、洗浄用途、その他の各種用途に使用できる液体であってもよい。
【００３６】
本明細書における飲料用途の液体は、水道水、天然水、炭酸水、茶、清涼飲料、果実飲料、乳酸飲料、アルコール飲料、その他の飲料であってもよい。また、常温以下であってもよい。
【００３７】
例えば常温の水道水が入っているコップに、本発明に係る粉末状水素生成剤、又は水素生成器を入れて水素分子を発生させることにより、コップ中で水素含有水飲料を製造することができる。また、例えば冷温の緑茶が入っているペットボトルに、本発明に係る粉末状水素生成剤、又は水素生成器を入れて水素分子を発生させて、コップ中で水素含有茶飲料を製造することができる。
【００３８】
本明細書における冷温とは、冷却装置などにより冷却された環境下での温度をいう。常温とは、冷却装置などによる冷却がなされていなく、且つ加熱装置などによる加熱もなされない環境下での温度をいい、例えば、室温、１０℃〜３５℃、１５℃〜２５℃と考えることができるがこれらに限定されない。
【００３９】
本明細書における水素生成器は小型で携帯可能であるため、時や場所を制限されることなく、水素含有液の使用時にその場で簡便に水素含有液を生成することができ、保存劣化の心配はない。
【００４０】
一実施形態では、本発明の粉末状水素生成剤が約２００ｍｇ入った水素生成器を、冷水又は常温水約１５０ｍＬに浸漬させると、１５〜２０分以内に約５１〜６０ｐｐｍの水素分子を含む水素水を得ることができる。
【００４１】
本明細書において引用されるすべての特許文献及び非特許文献の開示は、全体として本明細書に参照により組み込まれる。
【実施例】
【００４２】
以下、本発明を実施例に基づいて具体的に説明するが、本発明は何らこれに限定されるものではない。当業者は、本発明の意義を逸脱することなく様々な態様に本発明を変更することができ、かかる変更も本発明の範囲に含まれる。
【００４３】
実施例１  粉末状水素生成剤の調製
金属マグネシウム粉末、クエン酸粉末、及びヒドロキシプロピルセルロースをミル（ラボネクスト株式会社、ＨＳ−２０）で均一に撹拌しながら細粒化した。次に、ビーズミル（アシザワ・ファインテック株式会社）で攪拌してさらに細かい粉末とし、粉末状水素生成剤を得た。混合した金属マグネシウム粉末、クエン酸粉末、ヒドロキシプロピルセルロースの重量比は、１：７：０．０８である。
得られた粉末状水素生成剤の粒子径を標準ふるいを用いて測定した。粉末状水素生成剤の８５％が２００メッシュ（目開き７５μｍ）、１５％が１５０メッシュ（目開き１０６μｍ）のふるいを通過した。
【００４４】
実施例２  水素生成器の製造
実施例１で得られた粉末状水素生成剤２００ｍｇをキュプラ繊維からなる不織布に封入し、水素生成器を得た（図１）。
【００４５】
実施例３  水素水の生成
実施例１で得られた粉末状水素分子生成剤１８ｍｇに、２４℃の水を６ｍＬ加え、撹拌下に水素分子指示薬を滴下した。溶液の色が持続的に青く呈色したときを終点とし、粉末水素生成剤に水を加えてから終点までに発生した水素分子の量を測定した。水素分子は約２０分以内に約５．１ｐｐｍ生成した。
【００４６】
実験例１  沈殿物の分析
実施例１で得られた粉末状水素生成剤３００ｍｇを常温水１０ｍＬに添加すると、水素分子が生成し、さらに白色沈殿物が目に見えるように生成した。粉末状水素生成剤が完全に反応してから約１〜２時間後の反応混合物５０ｍＬをプラスチック遠沈管に加え、氷冷下でエタノール２０ｍＬを加え、混合物を沈殿させた。４℃、２０００ｒｐｍの条件で遠心処理し、上清を除いた後、残渣を減圧乾燥し、９０ｍｇの固体を得た。この個体をＥＩ+−質量スペクトル(ＥＩ+−ＭＳ)により、イオン化電圧５０ｅＶで分析した。標品（東京化成工業株式会社）との比較からこの沈殿物はＣ12Ｈ10Ｍｇ3Ｏ14・９Ｈ2Ｏ（クエン酸マグネシウム）であることがわかった（図２）。フラグメントイオンピークｍ/ｚ４２７は分子イオンピークＣ12Ｈ10Ｍｇ3Ｏ14のｍ/ｚ４５１からＭｇが脱離したピーク（−ｍ/ｚＭｇ）に相当することから明らかである。
【００４７】
予備実験例  水素分子生成量の測定
金属マグネシウム粉末８ｍｇを、それぞれ０．１ｍｏｌ／Ｌの酸、塩基、又は緩衝液等に加え、生成する水素分子量を測定した。有機酸水溶液又は緩衝液等としてＴＥＡ（テトラエチルアミン）、水、クエン酸、酢酸緩衝液（ｐＨ＝５．０）、リン酸緩衝液(ｐＨ＝６．９)、酢酸、酒石酸、水酸化ナトリウム、塩化ナトリウム、及び酢酸ナトリウムを用いた（図３）。
【符号の説明】
【００４８】
１  糸
２  不織布
３  錘
４  粉末状水素生成剤
【図１】
2015205791.tif 000002
【図２】
2015205791.tif 000003
【図３】
2015205791.tif 000004